(57)【要約】【課題】障害者や高齢者等の検査や診察を円滑化する診察用車椅子を提供する。【解決手段】診察用車椅子１は、座席２と背もたれ３とを有する椅子本体４と、椅子本体４に取り付けられた全方向キャスター９と、手押し用のハンドル６とを備えている。椅子本体４のフレームには、患者の体を椅子本体４に固定する安全ベルト４１が設けられている。診察用車椅子１は、更に、座席２の傾斜状態を前方傾斜状態と後方傾斜状態とに変更するチルト機構と、椅子本体４を昇降させる油圧シリンダとを備えている。座席２の側方には、取っ手３１が設けられている。【選択図】      図１
2005013445.tif 000002
【特許請求の範囲】
【請求項１】
座席と背もたれとを有する椅子本体と、
前記椅子本体に取り付けられ、床面上の任意方向に直進自在な走行手段と、
前記椅子本体に設けられた手押し用のハンドルと、
患者の体を前記椅子本体に固定する固定具と、
前記座席が前方に傾斜した前方傾斜状態と前記座席が水平又は後方に傾斜した通常状態との間で前記座席の傾斜状態を変更するチルト機構と、
を備えている診察用車椅子。
【請求項２】
前記走行手段は、３つ以上の全方向キャスターにより構成されている請求項１に記載の診察用車椅子。
【請求項３】
前記全方向キャスターの少なくとも一つは、車輪と、前記車輪の回転を許容しつつ旋回を阻止するストッパーと、前記ストッパーの設定及び解除を切り替える切替手段とを備えている請求項２に記載の診察用車椅子。
【請求項４】
前記椅子本体における前記座席の前方斜め下部分であって前記座席に座る患者の膝頭の真下又は該膝頭よりも後方の部分に、前記患者の足を支持する足置き台が設けられ、
前記全方位キャスターは、前記足置き台の下面に取り付けられた前側キャスターと、前記前側キャスターよりも後方に設けられた後側キャスターとから構成されている診察用車椅子。
【請求項５】
前記患者の足を固定する足用固定具を備えている請求項１〜４のいずれか一つに記載の診察用車椅子。
【請求項６】
前記椅子本体の側方に設けられた取っ手を備えている請求項１〜５のいずれか一つに記載の診察用車椅子。
【請求項７】
患者が前記椅子本体に座ったまま前記椅子本体を上下動させる昇降装置を備えている請求項１〜６のいずれか一つに記載の診察用車椅子。
【発明の詳細な説明】
【０００１】
【発明の属する技術分野】
本発明は、診察用車椅子に係り、特に、自力での歩行が困難な患者が病院内の検査装置で検査を行う場合等に利用される診察用車椅子に関する。
【０００２】
【従来の技術】
従来より、各種の病院において、様々な検査装置が用いられている。検査装置には、例えばレントゲン検査のように、患者が立った状態で検査を受けるものがある。その一方、例えば眼科病院で利用される検眼装置のように、患者が座った状態で検査を受けるものもある。通常、この種の検査装置には、装置の手前側に簡易な椅子が設置されている。そして、検査を受けようとする患者は、椅子の近くに向かって歩行し、その椅子に腰掛けた後、前屈みの姿勢になることによって検査を受けることが多かった。
【０００３】
ところが、自力での歩行が困難な身体障害者や高齢者等は、上述した一連の動作を行うことができないため、車椅子を利用することになる。そこで従来は、看護師や付添人等（以下、単に看護師等という）が、検査装置の椅子をいったん検査装置の手前から他の場所に移動させ、検査装置の前方に十分なスペースを確保したうえで、患者の車椅子（患者の保有する車椅子）を検査装置の手前に移動させ、検査を行っていた。
【０００４】
【発明が解決しようとする課題】
しかし、患者の車椅子を検査装置の手前に移動させる方法には、種々の課題があった。以下、図１１〜図１３を参照しながら、上記課題について説明する。
【０００５】
図１１に示すように、通常用いられる車椅子１００は、全方向キャスターからなる前輪１０１と大径の直進用車輪からなる後輪１０２とを備えている。そして、着座者１１０の姿勢を安定させるため、座席１０３は水平面１０４から後ろ向きに傾斜している。
【０００６】
ところが、上記車椅子１００では、座席１０３を前向きに傾斜させることはできない。また、図１２に示すように、車椅子１００の足下部分１０６が検査装置１０５の脚部１０７にぶつかり、車椅子１００を検査装置１０５に接近させることが難しかった。
【０００７】
そのため、患者１１０が前傾姿勢をとることが必要となる検査装置１０５（図１２参照）で検査を行う場合には、検査の間、少なくとも２名の看護師等１２０により患者１１０をサポートする必要があった。具体的には、看護師等１２０は、車椅子１００を検査装置１０５の手前に移動させた後、車椅子１００に乗っている患者１１０を両脇から抱えて前方に向かってやや起こし気味にし、患者１１０を検査装置１０５に近づけたうえで、前傾姿勢に保持する必要があった。したがって、検査に際して多大な手間と時間がかかっていた。また、看護師等１２０の負担が大きかった。
【０００８】
例えば眼科病院等においては、一つの検査装置１０５による検査が終了した後、当該検査装置１０５の隣に設置された別の検査装置を用いて、引き続き検査を行う場合が多い。また、検査装置１０５による検査が終了した後、検査装置１０５の隣で医師の問診を受ける場合もある。しかし、図１３に示すように、従来の車椅子１００は、その場で旋回することは可能であるが、横方向に直進することはできなかった。つまり、横方向にスライド移動することはできなかった。そのため、横方向にわずかに移動するだけであっても、多くの手間と時間を要していた。すなわち、横方向に移動する際には、車椅子をいったん後退させ、左又は右方向に旋回させて進行方向を横向きに変えた後、その方向にわずかに前進する。そして、その後さらに逆方向に旋回した後、再び医師又は検査装置に向かって前進する必要があった。したがって、移動量がわずかであるにも拘わらず、多大な手間と時間が必要であった。
【０００９】
本発明は、かかる点に鑑みてなされたものであり、その目的とするところは、障害者や高齢者等の検査や診察を円滑化する診察用車椅子を提供することにある。
【００１０】
【課題を解決するための手段】
本発明に係る診察用車椅子は、座席と背もたれとを有する椅子本体と、前記椅子本体に取り付けられ、床面上の任意方向に直進自在な走行手段と、前記椅子本体に設けられた手押し用のハンドルと、患者の体を前記椅子本体に固定する固定具と、前記座席が前方に傾斜した前方傾斜状態と前記座席が水平又は後方に傾斜した通常状態との間で前記座席の傾斜状態を変更するチルト機構と、を備えているものである。
【００１１】
もともと車椅子に乗っている患者（例えば、身体障害者等）に検査又は診察を行う際には、予め患者を患者の車椅子から上記診察用車椅子に乗せ替える。一方、車椅子に乗ってはいないものの歩行機能の低下している患者（例えば、高齢者等）に検査又は診察を行う際には、当該患者を前もって上記診察用車椅子に乗せておく。そして、検査又は診察を開始するときに、看護師等はハンドルを握りながら椅子本体を押すことにより、診察用車椅子を目的の場所に移動させる。
【００１２】
診察用車椅子を移動させるときには、チルト機構によって座席を通常状態にすることにより、座席は水平姿勢又は後方に傾斜した姿勢となる。これにより、診察用車椅子に着座した患者を安定して移動させることができる。一方、検査や診察の時には、チルト機構によって座席を前方傾斜状態にする。これにより、看護師等が患者を支えて前傾姿勢にさせることなく、患者を検査装置等に近づけることができ、また、患者の姿勢を検査等に適した姿勢にすることができる。したがって、検査や診察の手間と時間を省くことができ、検査や診察の円滑化を図ることができる。
【００１３】
前記診察用車椅子には患者の体を固定する固定具が設けられているので、座席を前方傾斜状態にしたときであっても、患者の体が前方に滑り落ちることはない。したがって、十分な安全性を確保することができる。また、前傾の傾斜角度を大きくすることが可能となる。
【００１４】
更に、上記診察用車椅子には、任意の方向に直進自在な走行手段が設けられているので、看護師等が椅子本体を横方向に押したり引いたりすることによって、診察用車椅子を横方向に簡単にスライド移動させることができる。したがって、横に並べられた複数の検査装置で一連の検査を行う場合や、検査装置の横で医師の問診を受ける場合等であっても、検査や診察を容易かつ迅速に行うことができる。
【００１５】
前記走行手段は、３つ以上の全方向キャスターにより構成されていることが好ましい。
【００１６】
このことにより、簡単かつ安価な構成により、椅子本体を任意の方向へ直進移動させることができる。また、走行手段を小型化することが容易になり、狭い場所であっても容易に移動させることができる。
【００１７】
前記全方向キャスターの少なくとも一つは、車輪と、前記車輪の回転を許容しつつ旋回を阻止するストッパーと、前記ストッパーの設定及び解除を切り替える切替手段とを備えていることが好ましい。
【００１８】
すべてのキャスターが旋回自在である場合には、任意方向への直進移動が容易になり、小回りの効いた移動を行いやすくなる。一方、曲がり角を曲がる場合など、ある程度の速度で比較的緩やかな旋回を行う場合には、慣性の影響により車椅子が外側に滑り、旋回半径が大きくなりがちになる。しかし、上記診察用車椅子によれば、少なくとも一つの全方向キャスターに、車輪の旋回を阻止するストッパーが設けられている。そのため、比較的長い距離を移動する場合などでは、ストッパーを設定（ＯＮ）することにより、看護師等による車椅子の移動が容易になる。一方、ストッパーを解除（ＯＦＦ）することにより、すべての車輪が任意方向に直進自在となり、スライド移動が容易になる。
【００１９】
前記椅子本体における前記座席の前方斜め下部分であって前記座席に座る患者の膝頭の真下又は該膝頭よりも後方の部分に、前記患者の足を支持する足置き台が設けられ、前記全方位キャスターは、前記足置き台の下面に取り付けられた前側キャスターと、前記前側キャスターよりも後方に設けられた後側キャスターとから構成されていることが好ましい。
【００２０】
このことにより、足置き台は膝頭の位置よりも前方に突出することがないため、椅子本体を検査装置等に近づける際に、足置き台は邪魔になりにくい。そのため、椅子本体を検査装置等に対し、より接近させることができる。したがって、座席の前傾角度を大きくしなくても、患者は検査等のための所定の姿勢をより簡単にとることが可能となる。
【００２１】
前記診察用車椅子は、更に、前記患者の足を固定する足用固定具を備えていることが好ましい。
【００２２】
このように、患者の体だけでなく足も固定することにより、安全性が更に向上する。
【００２３】
また、前記診察用車椅子は、前記椅子本体の側方に設けられた取っ手を備えていることが好ましい。
【００２４】
このことにより、椅子本体を側方に移動させる際には、看護師等が取っ手を握って側方に押したり引いたりすることによって、椅子本体を容易かつ迅速に移動させることができる。したがって、隣り合う複数の検査装置によって一連の検査を行う場合等において、検査や診察の円滑化を図ることができる。
【００２５】
前記診察用車椅子は、更に、患者が前記椅子本体に座ったまま前記椅子本体を上下動させる昇降装置を備えていることが好ましい。
【００２６】
このことにより、検査装置等の高さに合わせて、椅子本体を自由に上下動させることができる。したがって、検査等をより円滑に行うことができる。
【００２７】
【発明の実施の形態】
以下、本発明の実施の形態を図面に基づいて説明する。
【００２８】
図１〜図３に示すように、実施形態に係る診察用車椅子１は、座席２及び背もたれ３を有する椅子本体４と、椅子本体４を支える脚部５と、椅子本体４に設けられた手押し用のハンドル６とを備えている。
【００２９】
図４及び図５にも示すように、脚部５は、基台７と、基台７の中央部から上方に延びる支柱８と、基台７の下面の四隅部に取り付けられたキャスター９，１０とを備えている。基台７は、支柱８が固定された略平板状のメインフレーム１３（図４参照）を備え、メインフレーム１３の左右両端には、前後方向に延びる左側フレーム３２及び右側フレーム３３がそれぞれ固定されている。図５に示すように、各フレーム３２，３３は、メインフレーム１３に固定された前後方向中央部分が下方にくぼんだ形状となっており、中央部分の前後方向両側は、いったん斜め上方に延びてから水平方向に延びている。したがって、各フレーム３２，３３の両端部は、水平に延びている。各フレーム３２，３３の前端部の底面には前側キャスター９が取り付けられ、各フレーム３２，３３の後端部の底面には後側キャスター１０が取り付けられている。
【００３０】
キャスター９，１０は、任意の方向に直進自在な全方向キャスターからなり、椅子本体４を床面上の任意方向に直進させ得る走行手段を形成している。キャスター９，１０は、鉛直軸回りの回転（以下、旋回という）が自在な車輪フレーム１１と、車輪フレーム１１に設けられた水平軸回りに回転自在な車輪１２とから構成されている。このように、車輪１２は旋回自在な車輪フレーム１１に取り付けられているので、車輪１２は床面上の任意の方向に直進走行することができる。後側キャスター１０には、車輪１２の回転を阻止する足踏み式の回転ストッパー３０が設けられている。したがって、診察用車椅子１を目的位置に移動させた後には、看護師等５１（図８参照）が回転ストッパー３０をロックすることにより、診察用車椅子１を当該位置に固定することができる。
【００３１】
なお、本実施形態では、前側キャスター９と後側キャスター１０とは、同一材料からなり、同一の形状を有しているが、それらは異なる材料で形成されていてもよく、異なる形状を有していてもよい。前側キャスター９と後側キャスター１０とで車輪１２の大きさが異なっていてもよく、例えば、前側キャスター９の方が後側キャスター１０よりも車輪１２の大きさが小さくてもよい。また、左右のキャスター９，１０間で形状又は材料の差を設けることも可能である。キャスター９．１０の形状や材料等は何ら限定されるものではないが、車輪１２の大きさは小さい方が好ましい。病院内の狭い通路であっても、診察用車椅子１を円滑に走行させることができるからである。
【００３２】
図４に示すように、左側フレーム３２及び右側フレーム３３の前端部には、左右方向に延びる前側フレーム１４が架け渡されている。前側フレーム１４は、椅子本体４に座った患者５０（図８参照）の足を支持する足置き台を形成している。すなわち、椅子本体４に座った患者５０は、前側フレーム１４の上に足を置くことにより、安定した姿勢をとることができる。なお、前側フレーム１４の代わりに、あるいは前側フレーム１４と共に、他の部材を用いて足置き台を形成することも勿論可能である。足置き台の構成は、上述の前側フレーム１４に限定されるものではない。
【００３３】
支柱８はメインフレーム１３の中央部に固定され、その内部には昇降装置として油圧シリンダ１５（内部構造は図示せず）が設けられている。図５に示すように、支柱８の上側にはシリンダカバー１７が固定され、シリンダカバー１７には油圧シリンダ１５の操作レバー１６が設けられている。看護師等５１が操作レバー１６を揺動させることにより、座席２は徐々に上昇する。一方、操作レバー１６を最下位の位置（図５の一点鎖線参照）にまで引き下げると、座席２は下降する。したがって、例えば足を用いて操作レバー１６を操作することにより、患者５０を乗せた状態のまま座席２を容易に昇降させることができる。なお、操作レバー１６を最上位の位置（図５の二点鎖線参照）にまで引き上げると、油圧シリンダ１５はロックされる。
【００３４】
図６に示すように、座席２と背もたれ３とは、パイプ状のフレーム１８に固定されている。背もたれ３の後側のフレーム１８には、左右一対の肘掛け１９が取り付けられている。これら肘掛け１９は、根元部（つまり後端部）を支点として回動自在に形成され、上げ下ろし自在になっている。したがって、患者５０が診察用車椅子１に乗る際又は降りる際には、肘掛け１９を上げることによって、患者５０の乗り降りの動作を容易にすることができる。また、患者５０が診察用車椅子１に乗った後は、肘掛け１９を下ろすことによって、患者５０を安定して移動させることができる。
【００３５】
図６に示すように、座席２の下部には、上板２０と下板２１とが設けられている。座席２及びフレーム１８は、上板２０に固定されている。下板２１は、前向きに傾斜している。本実施形態では、下板２１の水平面に対する前向き傾斜角度θ１は、約５度である。下板２１の下面には、油圧シリンダ１５のピストンロッド（図示せず）が取り付けられている。
【００３６】
図７に示すように、上板２０は、下板２１に対して平行な状態から後ろ向きに傾動自在に構成されている。前述したように下板２１は前向きに傾斜しているので、結局、上板２０は水平面に対して前後に傾斜可能となっている。すなわち、椅子本体４は前後に傾動自在であり、前向きに傾斜した状態（前方傾斜状態）と後向きに傾斜した状態（通常状態）との間で状態変更が可能となっている。なお、本実施形態では、椅子本体４の水平面に対する後ろ向きの最大傾斜角度θ２（図８参照）は、約５度である。したがって、本実施形態の診察用車椅子１では、椅子本体４を前後に約±５度ずつ傾斜させることができる。
【００３７】
椅子本体４を傾動させるチルト機構２３は、下板２１に固定されたダンパー支持部材２２に一端が回転自在に支持され、他端が上板２０に取り付けられたガスダンパー２４と、椅子本体４を前方傾斜姿勢又は後方傾斜姿勢に保持するロック機構２５と、ロック機構２５をＯＮ／ＯＦＦするロックレバー２６（図３等参照）とからなっている。なお、ロック機構２５には周知の機構を用いることができ、その具体的構成は何ら限定されるものではない。本実施形態では、椅子本体４は前方傾斜姿勢及び後方傾斜姿勢の２つの姿勢でのみロックされるように形成されているが、椅子本体４を３つ以上の姿勢でロックすることも勿論可能である。また、椅子本体４を任意の位置でロックするようにロック機構２５を構成してもよい。使用目的等に応じて、ロック姿勢を適宜変更してもよい。
【００３８】
図１〜図３に示すように、手押し用のハンドル６は、フレーム１８の上部に設けられている。ハンドル６の右手用グリップ２７と左手用グリップ２８との間には、前記ロックレバー２６が配置されている。したがって、看護師等５１は、ロックレバー２６を引くことによってロック機構２５を解除し、そのままの状態でハンドル６を前方に押す又は後方に引くことによって、患者５０を乗せたまま椅子本体４を容易に傾動させることができる。
【００３９】
図１及び図２に示すように、背もたれ３の後方に位置するフレーム１８には、安全ベルト４１が設けられている。安全ベルト４１は、椅子本体４に座った患者５０の体を固定するものである。本実施形態では、安全ベルト４１は、主として患者５０の腰部を固定するように形成されている。ただし、安全ベルト４１は、体の他の部分を固定するように形成されていてもよい。また、安全ベルト４１の設置箇所はフレーム１８に限定されず、安全ベルト４１の構成や材料も何ら限定されるものではない。例えば、安全ベルト４１として、ビニールや布等からなる左右一対のベルトを備え、それらベルトを患者５０の腹部の手前でフックや面ファスナー等によって固定するもの等を好適に用いることができる。
【００４０】
図１及び図２に示すように、上板２０の左右の側面には、外方に突出する取っ手３１が設けられている。取っ手３１には、患者５０の足を固定する足用安全ベルト４２が取り付けられている。安全ベルト４１と同様、足用安全ベルト４２には種々のベルトを用いることができる。また、足用安全ベルト４２の設置箇所は、取っ手３１に限定されず、他の箇所であってもよい。例えば、図８及び図１０に示すように、足用安全ベルト４２を上板２０の前面部分に設けてもよい。
【００４１】
なお、下板２１の下面には、下方に延びる２本のパイプ２９が設けられている。これら２本のパイプ２９は、それぞれの下端部が中央側に屈曲し、互いに合流して一体化されている。油圧シリンダ１５の操作レバー１６の前側部分は、２本のパイプ２９，２９の間に配置されており、これらパイプ２９，２９によって回転を規制されている。したがって本実施形態では、これらパイプ２９により、椅子本体４の回転を規制する回転規制機構が形成されている。ただし、椅子本体４の回転を規制する機構は上述の機構に限定されず、他の機構を用いることも勿論可能である。また、本実施形態では椅子本体４を回転させないように形成したが、患者５０の乗り降りの便宜や検査又は診察の便宜等を考慮して、椅子本体４を回転自在に構成してもよい。
【００４２】
以上のように、本実施形態に係る診察用車椅子１によれば、チルト機構２３によって椅子本体４を前方に傾斜させることができるので、図１０に示すように、検査や診察等の際に、患者５０の姿勢を容易に前傾姿勢にすることができる。したがって、検査や診察等の円滑化を図ることができる。また、看護師等５１によって患者５０の姿勢を保持する必要がないので、看護師等５１の負担を軽減することができる。一方、患者５０を移動させる際には、椅子本体４を後方に傾斜させることにより、患者５０を安定した楽な姿勢で移動させることができる（図８参照）。
【００４３】
ハンドル６を前方に押し出す動作及び後ろ向きに引っ張る動作によって、椅子本体４を簡単に傾動させることができる。また、椅子本体４を小さな力で傾動させることができる。したがって、この点においても看護師等５１の負担を軽減することができる。
【００４４】
患者５０の体を固定する安全ベルト４１を設けることとしたので、椅子本体４を前方傾斜状態にした場合であっても、患者５０が前のめりになって前方に滑り出すことを確実に防止することができる（図１０参照）。また、足用安全ベルト４２を設けることとしたので、椅子本体４を前方傾斜状態にした場合であっても、患者５０の足が前方にふらつくことを防止することができる。したがって、走行中の安全性に加え、検査や診察時の安全性を向上させることができる。
【００４５】
走行手段として、任意方向に直進自在な全方向キャスター９，１０を用いることとしたので、椅子本体４を任意方向に容易にスライド移動させることができる（図９参照）。したがって、例えば一列に並べられた複数の検査装置６０で一連の検査を行う場合や、検査装置６０の隣で医師の問診を受ける場合等であっても、患者５０を所定の位置に容易かつ迅速に順次移動させることができる。したがって、検査又は診察の効率化を図ることができる。
【００４６】
椅子本体４の側部に取っ手３１を設けているので、看護師等５１は患者５０を乗せた状態で診察用車椅子１を容易に横方向に移動させることが可能となる。
【００４７】
キャスター９，１０は基台７の下面に取り付けられているので、基台７の外側に出っ張りにくくなる。また、小型のキャスター９，１０を用いることができる。そのため、移動の際にキャスター９，１０が検査装置等にぶつかるおそれが少なく、病院内の狭い通路であっても診察用車椅子１を円滑に移動させることができる。
【００４８】
図１２に示すような従来の一般的な車椅子１００では、足下部分１０６が前側のキャスター１０１よりも前方に大きく突出していた。しかし、図１０に示すように、本実施形態に係る診察用車椅子１では、足置き台を構成している前側フレーム１４は、座席２に座った患者５０の膝頭５５よりも後方に位置し、前側キャスター９は前側フレーム１４の真下に位置している。そのため、足下部分が前方に大きく突出することはない。したがって、足下部分が邪魔になりにくいため、椅子本体４を検査装置６０に対して、より接近させることが可能となる。
【００４９】
椅子本体４を上下動させる昇降機構として油圧シリンダ１５を設けることとしたので、患者５０を乗せた状態のまま椅子本体４を容易に昇降させることができる。したがって、検査装置６０の高さ等に応じて、患者５０の上下位置を簡単に調整することができる。
【００５０】
なお、上記実施形態のように走行手段として全方向キャスター９，１０を用いると、任意方向への直進移動が自在であるものの、ある程度の速度で比較的大きな旋回移動をする場合（例えば、病院の廊下を曲がる場合等）には、慣性力の影響により診察用車椅子１が横方向に滑りやすくなる。そのため、看護師等５１にとってハンドル６の操作が若干難しくなることがある。そこで、前側キャスター９及び後側キャスター１０のいずれか一方に、車輪フレーム１１の旋回を阻止する旋回ストッパー（図示せず）と、当該旋回ストッパーの設定及び解除（ＯＮ／ＯＦＦ）を切り替える切替装置（図示せず）とを設けることが好ましい。この場合、旋回ストッパーをロックすることにより、比較的大きな旋回移動も円滑に行うことができる。一方、旋回ストッパーを解除することにより、小回りの必要な移動（スライド移動等）を容易に実行することができる。
【００５１】
上記実施形態では、任意方向に直進自在な走行手段として、全方向キャスター９，１０を用いていたが、走行手段は全方向キャスター９，１０に限定されず、種々の手段を用いることができる。例えば、全方向キャスター９，１０の代わりに、いわゆる球状ローラを用いることも可能である。
【００５２】
上記実施形態では、チルト機構２３によって椅子本体４の全体が傾動していたが、座席２のみを傾動させることも勿論可能である。チルト機構２３は手動の機構に限らず、電動式等による自動機構であってもよい。
【００５３】
患者５０の体を固定する固定具は安全ベルト４１に限らず、他の手段を用いてもよい。同様に、患者５０の足を固定する足用固定具も、ベルト４２に限定されるものではない。
【００５４】
椅子本体４を上下動させる昇降装置は油圧式の昇降装置に限らず、ガス圧式昇降装置（例えばガス圧シリンダ等）であってもよく、電動式の昇降装置であってもよく、その他の昇降装置であってもよい。
【００５５】
本発明に係る診察用車椅子１は、眼科病院を始めとする各種の病院内で特に好適に利用される。ただし、その利用場所は病院内に限らず、診察用車椅子１は任意の場所で利用することが可能である。
【００５６】
【発明の効果】
以上のように、本発明によれば、座席を前方に傾斜させることができるので、患者の姿勢を検査等に適した前傾姿勢に容易に変更することができる。また、患者の体を固定する固定具を備えているので、座席を前方に傾斜させたとしても、患者が前のめりになることを確実に防止することができる。また、任意の方向に直進自在な走行手段を備えているので、椅子本体を横方向に容易にスライド移動させることができる。したがって、検査や診察の手間と時間を省くことができ、検査や診察の円滑化を図ることができる。
【図面の簡単な説明】
【図１】診察用車椅子の正面図である。
【図２】診察用車椅子の側面図である。
【図３】診察用車椅子の平面図である。
【図４】診察用車椅子の脚部の平面図である。
【図５】診察用車椅子の脚部の側面図である。
【図６】診察用車椅子の一部を断面表示した側面図である。
【図７】診察用車椅子の椅子本体の断面図であり、（ａ）は前方傾斜状態、（ｂ）は後方傾斜状態を表している。
【図８】患者が乗った状態の診察用車椅子の側面図である。
【図９】患者が乗った状態の診察用車椅子の平面図である。
【図１０】診察用車椅子を用いた検査の状態を示す図である。
【図１１】従来の車椅子の側面図である。
【図１２】従来の車椅子を用いた検査の状態を示す図である。
【図１３】従来の車椅子の平面図である。
【符号の説明】
１          診察用車椅子
２          座席
３          背もたれ
４          椅子本体
５          脚部
６          ハンドル
７          基台
８          支柱
９          前側キャスター（走行手段）
１０        後側キャスター（走行手段）
１１        車輪フレーム
１２        車輪
１４        前側フレーム（足置き台）
１５        油圧シリンダ（昇降装置）
１６        操作レバー
２３        チルト機構
３１        取っ手
４１        安全ベルト（固定具）
４２        足用安全ベルト（足用固定具）
５０        患者
５１        看護師等
６０        検査装置
【図１】
2005013445.tif 000003
【図２】
2005013445.tif 000004
【図３】
2005013445.tif 000005
【図４】
2005013445.tif 000006
【図５】
2005013445.tif 000007
【図６】
2005013445.tif 000008
【図７】
2005013445.tif 000009
【図８】
2005013445.tif 000010
【図９】
2005013445.tif 000011
【図１０】
2005013445.tif 000012
【図１１】
2005013445.tif 000013
【図１２】
2005013445.tif 000014
【図１３】
2005013445.tif 000015